(57)【要約】【課題】本発明は、建造物の間取りや開口部の大きさに合せて、ドア本体部のサイズやデザインが自由自在に調整可能なサイズ調整可能ドアを提供すること。【解決手段】上方の一辺が長方形又は横桟芯材１１と略アーチ形で、下辺が長方形の縦桟芯材１２とを有するドア本体部からなり、前記横桟芯材１１は、その略中央部において、着脱可能な横桟整理用のスペーサを有し、前記縦桟芯材１２は、その任意の位置に着脱可能な縦桟芯材長調整用のスペーサを有することを特徴とするサイズ調整可能ドア。【選択図】図１
2004060256.tif 000002
【特許請求の範囲】
【請求項１】
上方の一辺が長方形又は略アーチ形で下辺が長方形の横桟芯材と縦桟芯材とを有するドア本体部からなり、
前記横桟芯材は、その略中央部において、着脱可能な横桟整理用のスペーサを有し、
前記縦桟芯材は、その任意の位置に着脱可能な縦桟芯材長調整用のスペーサを有することを特徴とするサイズ調整可能ドア。
【請求項２】
スペーサは、その両端部において、接合用の凹部又は凸部を有し、
前記横桟芯材の一端接合用の相互に嵌合し合う凹部又は凸部を有することを特徴とする請求項１記載のサイズ調整可能ドア。
【請求項３】
横桟芯材又は縦桟芯材の接合用の凹部又は凸部においては、挿入容易で補強用の接合具を有することを特徴とする請求項１記載のサイズ調整可能ドア。
【請求項４】
横桟芯材と縦桟芯材との接合部は、着脱可能な嵌合継手部を有することを特徴とする請求項１記載のサイズ調整可能ドア。
【発明の詳細な説明】
【０００１】
【産業上の利用分野】
本発明は、建造物の間取や開口部の大きさに合せて、ドア本体のサイズやデザインが自由自在に調整可能なサイズ調整可能ドアに関する。
【０００２】
【従来技術】
建造物の出入口には、一般に種々の材料からなり、各種のサイズ、デザインのドアがあり、これらは各種各様の形態で製造され、販売されている。
【０００３】
しかしながら、従来のドアは、工場から直接製造され、施工現場に搬送されており、消費者は材料、サイズ、デザイン、色等が既に決められた各種製品の中から選択し、これによりドアが設置される部屋の間取りや開口部のサイズの制限を受けたまま使用されている現状にある。
【０００４】
したがって、ドアの表面側や裏面側における色やデザインを別々のものに変更しようとしても不可能であった。
また、部屋の間取りや開口部のサイズの微妙な違いに対しても自由自在に対応することが出来なかった。
【０００５】
そのため、ドアのサイズやデザインが自由自在に調整可能なものが要望されているにもかかわらず、現状はドアのサイズやデザインの自由度は極めて小さいという問題点があった。
【０００６】
【発明が解決しようとする課題】
そこで、本発明は、前記問題点に鑑みてなされたものであり、本発明が解決しようとする課題は、建造物の間取りや開口部の大きさに合わせて、ドア本体部のサイズやデザインが自由自在に調整可能なサイズ調整可能ドアを提供することを目的とするものである。
【０００７】
【課題を解決するための手段】
上記課題を解決するため、本発明の採った手段は、次に示すとおりである。以下、実施例において使用する図面の符号を用いて具体的に説明する。
【０００８】
まず、請求項１記載の発明の採った手段は、上方の一辺の長方形又は略アーチ形で下辺が長方形の横桟芯材１１と縦桟芯材１２とを有するドア本体部１０からなり、前記横桟芯材１１はその略中央部において着脱可能な横桟整理用のスペーサ１３を有し、前記縦桟芯材１２はその任意の位置に着脱可能な縦桟芯材長調整用のスペーサ１３を有することを特徴とするサイズ調整可能ドア１である。
【０００９】
次に、請求項２記載の発明の採った手段は、請求項１記載の発明において、
スペーサ１３は、その両端部において、接合用の凹部又は凸部を有し、前記横桟芯材１１の一端接合用の相互に嵌合し合う凹部又は凸部を有することを特徴とする請求項１記載のサイズ調整可能ドアである。
【００１０】
請求項３に記載の発明の採った手段は、請求項１又は２記載の発明において、横桟芯材１１又は縦桟芯材１２の接合用の凹部１３１又は凸部１３２には、挿入容易で補強用の接合具２を有することを特徴とする請求項１記載のサイズ調整可能ドア１である。
【００１１】
請求項４に記載の発明の採った手段は、請求項１〜３の何れか１項の記載の発明において、横桟芯材１１と縦桟芯材１２との接合部は着脱可能な嵌合継手部Ａ〜Ｄを有することを特徴とする請求項１記載のサイズ調整可能ドア１０である。
【００１２】
このように、本発明は、ドア本体部１０の骨材となる横桟芯材１１と縦桟芯材１２とに着脱可能な横桟整理用のスペーサ１３と着脱可能な縦桟芯材長調整用のスペーサ１３とを有することにより、横桟芯材１１と縦桟芯材１２とのサイズを自由自在に変更することができる。
【００１３】
また、横桟芯材１１と縦桟芯材１２とは接合用の凹部又は凸部を有し、これにより相互に嵌合し合うため、強固に構成することができる。
【００１４】
【発明の実施の形態】
本発明のドア本体部１０においては、上方の一辺が長方形又は略アーチ形で、下辺が長方形の横桟芯材１１を有する。
そして横桟芯材１１は、その略中央部において着脱可能な横桟整理用のスペーサ１３を有する。
また、縦桟芯材１２は、その任意の位置に着脱可能な縦桟芯材長調整用のスペーサ１３を有する。前記横桟芯材１１、縦桟芯材１２は、その任意の位置に着脱可能な縦桟芯材長調整用のスペーサ１３を有する。
【００１５】
これらの横桟芯材１１、縦桟芯材１２、スペーサ１３は、ドア本体部１０の骨材を構成する部分であって、例えば木材、プラスチックス成形物、パーチクルボード、ストランドボート、軽金属成形物などの各種材料により構成することができる。
【００１６】
前記スペーサ１３は、その両端部において、接合用の凹部１３１、凸部１３２を有する。
そして横桟芯材１１は、一端接合用の相互に嵌合し合う凹部１１１又は凸部１１２を有する。
【００１７】
前記凹部１１１、凹部１３１、凸部１１２、凸部１３２は、例えば図３に示すごとく、段継ぎＡ、腰掛け又は蟻継ぎＢのような形状を採用することができる。
【００１８】
また、図４に示す如く、例えば腰掛け横桟芯材は鎌継ぎ縦桟芯材の如く、相互に嵌合し合う各種形状の凹部１１１，１３１、凸部１１２、１３２を採用することができる。
【００１９】
そして、横桟芯材１１又は縦桟芯材１２の接合用の凹部１１１、１３１又は凸部１１２、１３２には、挿入容易で補強用の接合具２を有する。
前記接合具２としては、例えば横桟芯材１１、縦桟芯材１２が木材である場合においては、ねじ釘或いはこれと同様の回転ねじを採用することができる。
【００２０】
一方、横桟芯材１１、縦桟芯材１２が、プラスチックス成形物又は軽金属成形物である場合には、ビスとナット、或いはこれに類する接合用かつ補強用の接合具２を採用することができる。
【００２１】
上記横桟芯材１１、縦桟芯材１２、スペーサ１３は、予め工場生産により、各種サイズやデザインのものを大量生産しておく。そして、施工現場の部屋の間取りや開口部のサイズを測定し、その情報により、横桟芯材１１、縦桟芯材１２、スペーサ１３の組み合わせサイズを決定し、工場出荷する。
【００２２】
これにより、各種建造物の部屋の間取りや開口部のサイズに適合した横桟芯材１１、縦桟芯材１２、スペーサ１３の接合用の凹部１１１、１３１、又は凸部１１２、１３２の相互に嵌合し合う接合により自由自在にサイズの調整可能なドア本体部１０の骨格部を有するサイズ調整可能ドア１を得ることができる。
【００２３】
なお、前記横桟芯材１１は、例えば図１又は図６に示すごとく、部屋の間取りや開口部に最適のデザインを採用することができる。
【００２４】
例えば、部屋が和風の部屋の場合においては、上方の一辺が長方形の横桟芯材１１のものを採用することが出来る。
【００２５】
一方、洋風の部屋の場合においては、上方の一辺が略アーチ形の横桟芯材１１のものを採用することができる。
【００２６】
ここで重要なことは、前記横桟芯材１１、縦桟芯材１２、スペーサ１３は、それぞれ同質の材料に構成することが最も好ましい。温度や湿度の部屋環境条件により、伸縮率を同一にすることが適正サイズを保持する上で重要な要素となるからである。
【００２７】
前記１１、縦桟芯材１２、スペーサ１３は、ドア本体部１０の骨格部であるため、その表面側と裏面側において、例えば図４に示すごとく、木目模様や各種抽象模様を有する化粧合板などの化粧表面を、ドア本体部１０は有する。
【００２８】
以下、本発明の好ましい実施例について、添付図を参照にして説明する。勿論、下記の実施例は、本発明の一態様であるから、本発明の技術的範囲は、下記の実施例の制限を受けるものではない。
【００２９】
（実施例１）
本例のサイズ調整可能ドア１は、ドア本体部１０の骨格部において、木製材料の横桟芯材１１、縦桟芯材１２、スペーサ１３とを有する。
図に示すごとく、上方の一辺が長方形の横桟芯材１１とその両端部において長方形の縦桟芯材１２を有する。
【００３０】
前記横桟芯材１１は、その略中央部において、着脱可能な横桟整理用のスペーサ１３、１４を有する。また、スペーサ１３、１４は、その両端部において、横桟芯材１１の凸部１３１、１４１を有する。
【００３１】
前記横桟芯材１１は、その一部において、前記凸部１３１、１４１と一端接合用の凹部１３２、１４２を有する。そして、これらの凸部１３１、１４１と凹部１３２、１４２の嵌合継手部は、相互に嵌合し合う。
【００３２】
この部屋においては、例えば図２に示すごとく、木ねじ釘のごとき、補強用の接合具２を有する。これにより、この部屋は着脱可能に強固に接合される。なお、図２に示す凸部は他の態様を示すものである。
【００３３】
前記横桟芯材１１は、図１に示すごとく、その両端部において、凸部の凸部１１１を有する。一方、前記縦桟芯材１２は、その上端部と下端部において、接合用の凹部１３を有する。
【００３４】
そして、これら嵌合継手部は相互に嵌合し合うことにより、強固に接合される。なお、接合具２は図示略であるが、図２に示すごとく、木ねじ釘を採用することができる。
【００３５】
一方、前記縦桟芯材１２は、図１に示すごとく、その略中央部において、着脱可能な縦桟芯材長調整用のスペーサ１３を有する。該スペーサ１３は、その両端部において、接合用の凸部１３１を有する。
【００３６】
また、縦桟芯材１２の一端部には、前記凸部１３１と相互に嵌合し合う接合用の凹部１３３を有する。そして、これらの嵌合継手部は強固に接合される。
【００３７】
そして、図４に示すごとく、上記のようにして構成されたドア本体部１０の骨格部の挿入容易及び補強用には、突板などの模様を有する化粧合板１６を貼着する。
【００３８】
これにより、横桟芯材１１と縦桟芯材１２とスペーサ１３とを適宜に組合わせることによって、部屋の間取りや開口部の施工現場のサイズに適合させたサイズ調整可能ドア１を得ることができる。
【００３９】
（実施例２）
本例は、実施例１の横桟芯材１１の上方の一辺を略アーチ形にし、横桟芯材１１、縦桟芯材１２、スペーサ１３の材料をプラスチック成形品により構成したものである。
その他の構成は、実施例１と同様にした。
【００４０】
以上、実施例に基づいて、本発明を説明したが、本発明の目的を逸脱しない範囲で更に種々の改良変形が可能である。
【００４１】
【発明の効果】
請求項１のサイズ調整可能ドア１によれば、横桟芯材１１の略中央部において着脱可能な横桟整理用のスペーサ１３と、縦桟芯材１２の略中央部において着脱可能な縦桟芯材長調整用のスペーサ１３を有することにより、施工現場の部屋の間取りや開口部のサイズに適合したドア本体部１０を得ることができる。
【００４２】
請求項２記載のサイズ調整可能ドア１によれば、スペーサ１３は、その両端部において、接合用の凹部及び凸部を有するため、相互に嵌合し合う凹部又は凸部を得ることができる。
【００４３】
請求項３記載のサイズ調整可能ドア１によれば、横桟芯材又は縦桟芯材の接合用の凹部又は凸部は、挿入容易で補強用の接合具を有するため、強固な接合部を有するドア本体部１０を得ることができる。
【００４４】
請求項４記載のサイズ調整可能ドア１によれば、横桟芯材と縦桟芯材との部屋は、着脱可能な各種形状（図３、４参照）の嵌合継手部を有するため、ドア本体部１０を構成する材料の性質や各種製造条件により、最も適切な形状の嵌合継手部を有するサイズ調整可能ドア１を得ることができる。
【００４５】
以上の如く、本発明によれば、施工現場の部屋の間取りや開口部のサイズを測定した後、そのサイズに最も適合した横桟芯材１１、縦桟芯材１２、スペーサ１３の適宜な組合せにより、サイズとデザインが自由自在に調整可能なサイズ調整可能ドア１を得ることができる。
【図面の簡単な説明】
【図１】本発明の実施例１のサイズ調整可能ドアのドア本体部の正面図。
【図２】本発明の他の態様の横桟芯材の断面図。
【図３】本発明において採用される嵌合継手部の斜視図。
【図４】本発明で使用する嵌合継手部の他の態様を示す斜視図。
【図５】本発明のドア本体部の一部切欠を示す正面図。
【図６】本発明の実施例２のサイズ調整可能ドアのドア本体部の正面図。
【符号の説明】
１　　サイズ調整可能ドア
１０　ドア本体部
１１　　横桟芯材
１２　　縦桟芯材
１３　　スペーサ
【図１】
2004060256.tif 000003
【図２】
2004060256.tif 000004
【図３】
2004060256.tif 000005
【図４】
2004060256.tif 000006
【図５】
2004060256.tif 000007
【図６】
2004060256.tif 000008